(57)【要約】  本発明は、化粧用組成物（Ｃ）を塗布、除去又は分配するための表面（１７）を画定する布地（１５）を含む化粧用物品（１）であって、布地（１５）は、テキスタイルベース材料（３０）上に構築された浮き彫り模様（２０）を形成する少なくとも１つのヤーンポイント（４０）、特にステッチを含み、布地（１５）は、化粧用組成物（Ｃ）に対して少なくとも部分的に透過性である、化粧用物品（１）に関する。
2021529021.tif 000002
【特許請求の範囲】
【請求項１】
化粧用組成物（Ｃ）を塗布、収集又は分配するための表面（１７）を画定する布地（１５）を含む化粧用物品（１）において、前記布地は、テキスタイルベース材料（３０）上に構築された浮き出し模様（２０）を形成する少なくとも１つの糸ステッチ（４０）、特に刺繍ステッチ（４０）を含み、前記布地（１５）は、前記化粧用組成物（Ｃ）に対して少なくとも部分的に透過性であることを特徴とする化粧用物品。
【請求項２】
前記糸ステッチ（４０）は、ベース布地（３０）上で縫われ、ステッチされ、編まれ、且つ好ましくは刺繍されることを特徴とする、請求項１に記載の物品。
【請求項３】
前記浮き出し模様（２０）は、前記化粧用組成物（Ｃ）を塗布、収集又は分配するための前記表面の総表面に対して、前記化粧用組成物（Ｃ）を塗布、収集又は分配するための前記表面の１０％〜９５％をカバーするという事実によって特徴付けられる、請求項１又は２に記載の物品。
【請求項４】
前記テキスタイルベース材料（３０）は、刺繍横糸を有するという事実によって特徴付けられる、請求項１〜３のいずれか一項に記載の物品。
【請求項５】
前記テキスタイルベース材料（３０）は、横糸と縦糸とを含むという事実によって特徴付けられる、請求項１〜４のいずれか一項に記載の物品。
【請求項６】
前記テキスタイルベース材料（３０）は、帆布、あや織又は繻子の織りを有するという事実によって特徴付けられる、請求項１〜５のいずれか一項に記載の物品。
【請求項７】
前記テキスタイルベース材料（３０）は、ポリアミド、エラステイン、ポリエステル、アクリル、ポリウレタン、ポリオレフィン、ビスコース、アセテート、絹、羊毛、綿、リンネル、麻の糸を含むという事実によって特徴付けられる、請求項１〜６のいずれか一項に記載の物品。
【請求項８】
前記刺繍ステッチ（４０）は、フィルステッチ、特に直線のフラットパススルーステッチ又はエンクローチングステッチを含むという事実によって特徴付けられる、請求項１〜７のいずれか一項に記載の物品。
【請求項９】
前記刺繍ステッチ（４０）は、ループステッチを含むという事実によって特徴付けられる、請求項１〜８のいずれか一項に記載の物品。
【請求項１０】
前記刺繍ステッチ（４０）は、チェーンステッチを含むという事実によって特徴付けられる、請求項１〜９のいずれか一項に記載の物品。
【請求項１１】
前記刺繍ステッチ（４０）は、テキスタイル糸、特に綿糸又は絹糸で作られているという事実によって特徴付けられる、請求項１〜１０のいずれか一項に記載の物品。
【請求項１２】
前記布地（１５）は、少なくとも１つの弾性のある糸で作られているという事実によって特徴付けられる、請求項１〜１１のいずれか一項に記載の物品。
【請求項１３】
少なくとも１つの方向における前記布地（１５）の伸長は、１０％〜２００％である、請求項１〜１２のいずれか一項に記載の物品。
【請求項１４】
前記化粧用組成物（Ｃ）と接触するという事実によって特徴付けられる、請求項１〜１３のいずれか一項に記載の物品。
【請求項１５】
フレーム（４０）を含み、前記布地（１５）は、前記化粧用組成物（Ｃ）が特に前記化粧用組成物（Ｃ）に対する前記布地（１５）の圧力によって前記布地（１５）を通過し得るように、前記フレーム（４０）によって化粧用組成物（Ｃ）の保留分（１０）の上に保持される、特に伸ばされるという事実によって特徴付けられる、請求項１〜１４のいずれか一項に記載の物品。
【請求項１６】
前記化粧用組成物（Ｃ）は、吸収性支持体に含浸される、請求項１４又は１５に記載の物品。
【請求項１７】
前記化粧用組成物（Ｃ）を含有する区画を有する本体（３）を有するケース（２）を含み、前記布地（１５）は、前記化粧用組成物（Ｃ）の上に配置され、前記ケース（２）は、前記本体（３）と協働するように配置されたカバー（５）を含む、請求項１〜１６のいずれか一項に記載の物品。
【請求項１８】
化粧用組成物（Ｃ）アプリケータを形成する、請求項１〜１３のいずれか一項に記載の物品。
【発明の詳細な説明】
【技術分野】
【０００１】
本発明は、化粧品、より詳細には、限定するものではないが、化粧又はヒトの角質物質、特に皮膚のケアを意図された化粧用物品の分野に関する。
【背景技術】
【０００２】
「化粧用製品」は、化粧用製品に関する２００９年１１月３０日の欧州議会及び理事会の規制（ＥＣ）第１２２３／２００９号において定義された任意の製品を意味する。
【０００３】
化粧用組成物上にスクリーンを配置することは、既知である。いくつかの特許出願公報は、このタイプの化粧用物品を扱っている。
【０００４】
異なる塗布特性を有するいくつかのゾーンを備えたスクリーンは、既に提案されている。
【０００５】
特許文献１は、スロットと開口とを含むスクリーンを開示している。スクリーンは、ナイロン、ポリエステル、綿、絹、羊毛、アセテート、アクリル、金属、ポリエチレン、不織布、ポリプロピレン又はポリウレタンで作られ得る。
【０００６】
特許文献２は、ナイロン、ポリエステル、綿、絹、アセテート、アクリル、金属、ポリエチレン、不織布及びポリウレタンで作られた第１スクリーンと、弾性のある材料で作られた第２スクリーンとを含むダブルスクリーンを開示している。第２スクリーンは、第１スクリーン上に配置され、それは、第１スクリーンの開口に対するその開口の位置により化粧用製品の拡散を制御する。
【０００７】
異なる塗布特性を備えたいつかのゾーンを有する、拭き取りのための布も提案されている。
【０００８】
特許文献３は、皮膚洗浄又はケア物品であって、それらの表面上に浮き出し模様を含む皮膚洗浄又はケア物品を開示している。浮き出し模様は、０．２〜２．０ｍｍに含まれる高さＨの突出部を有する。これは、製品を受けることを意図された複数の空洞を画定する。物品は、綿繊維に基づき得る。これは、物品の表面に浮き出し模様を作り出すために、一緒に接合された吸収性繊維状材料の２つの外部層と、外部層間に配置された少なくとも一連の糸とを含む。
【０００９】
このタイプの物品に生じる問題は、全てが狭い空間にあり、且つ大規模な市場の要件に適合する製造コストによるとき、大量の組成物を保管し、且つそれを使用中に次第に及び可能な限り完全に元に戻すための能力、形状記憶から利益を得る必要性並びに様々な粘度の組成物を受ける能力など、様々なパラメータ間に見られる妥協である。
【００１０】
別の問題は、大きい収集表面にわたる化粧用製品の拡散を制御し、且つ異なる粘度の化粧用組成物の拡散を制御するための、化粧用製品の拡散の制御に関する。
【００１１】
さらに、皮膚がユーザにとって心地よい物品と接触した状態で組成物が収集されるか、分配されるか、又は施されることを可能にする化粧用物品を提供する必要がある。
【先行技術文献】
【特許文献】
【００１２】
【特許文献１】韓国特許第１０１３８０５８７号明細書
【特許文献２】国際公開第２０１６１４８３７１号パンフレット
【特許文献３】欧州特許第２０３９８１５号明細書
【発明の概要】
【発明が解決しようとする課題】
【００１３】
本発明は、化粧用組成物を含有するリザーバを含む化粧用物品をさらに改良することを目的とする。
【００１４】
本発明の別の目的は、アプリケータとしての役割を果たし得る化粧用物品を提案することでもある。
【課題を解決するための手段】
【００１５】
本発明は、したがって、第１態様によると、化粧用組成物を塗布、収集又は分配するための表面を画定する布地を含む化粧用物品であって、布地は、テキスタイルベース材料上に構築された浮き出し模様を形成する少なくとも１つの糸ステッチ、特に刺繍ステッチを含み、布地は、化粧用組成物に対して少なくとも部分的に透過性である、化粧用物品に関する。
【００１６】
本発明は、異なる塗布特性を有する２つのゾーン、すなわち特に刺繍を含む浮き彫りのゾーン及び任意選択的に刺繍ステッチがないゾーンを有する布地を提供する。これは、心地よい感触を与え、且つ組成物の収集及び投与を円滑にする。実際、収集された製品は、指又はアプリケータ上に不均一に分配される。したがって、製品は、人により自然な外観を与えるために、処理又は化粧される身体領域上でより良好に広げられ得る。
【００１７】
さらに、ジュース（juice）とも呼ばれる組成物は、刺繍ステッチがないゾーンに集積するため、表面で直接的に利用可能である。ジュースは、表面と同一平面である。これは、ジュースのより良好な分布を確実にする。特に液体組成物について、水たまりを形成せずにより広い含浸を得るために軽く押すのみで十分である。ジュースは、身体表面により一様に分配される。スクリーンと比べて、ジュースは、染み込まない。本発明において、物品は、表面リザーバ機能とジュース通過機能とを有する。
【００１８】
布地により画定された表面は、化粧用組成物が施されることを可能にする表面であるのみならず、代替的に収集又は分配されることを可能にする表面でもある。したがって、この表面は、塗布表面、収集表面又は分配表面として理解されるべきである。布地は、弾性的に変形可能であり得、これは、特定の形状記憶を維持しつつ、製品が収集されるときに容易に変形され得る。
【００１９】
布地は、好ましくは、非リバーシブルであり、すなわち布地の２つの側の一方のみ、すなわち布地の表面が塗布、収集又は分配表面を形成する。裏面は、表面とは区別され得る。
【００２０】
テキスタイルベース材料は、有利には、織るか又は編むことにより作られる。
【００２１】
布地を構成する材料は、好ましくは、ユーザにとって特にやわらかい絹のような感触を塗布表面に与えるように選択される。特に、超極細繊維の存在は、この知覚的利点が得られることを可能にし得る。
【００２２】
布地を構成する材料は、有利には、布地に弾性を与えるように選択される。特に、エラステインの存在は、形状記憶により布地が即座にその初期形状に戻ることを可能にしつつ、特に組成物を収集するために、布地が押圧されたときの布地の変形を促す。
【００２３】
同様に組成物に対して透過性であり得る刺繍による浮き出し模様は、特にアプリケータ又はユーザの指と接触する前記表面の部分を形成し、浮き出し模様がないテキスタイルゾーンへのアクセスは、あまり即時に行われない。刺繍による浮き出し模様は、例えば、超極細繊維の存在により、触れると心地よい質感であり得る。
【００２４】
物品が化粧用組成物と接触しているとき、これは、フレームを含むことができ、布地は、組成物が特に組成物に対する布地の圧力によって布地を通過し得るように、フレームによって組成物の保留分の上に保持され、任意選択的に伸ばされる。
【００２５】
代替的に、化粧用組成物は、吸収性支持体で含浸され得る。
【００２６】
物品は、化粧用組成物を含有する区画を有する本体を含むケースを含み得、布地は、化粧用組成物の上に配置され、ケースは、ケースの密封された閉鎖を可能にするために、本体と協働するように配置されたカバーを含む。
【００２７】
代替的に、化粧用物品は、化粧用組成物アプリケータを形成する。この場合、物品は、パッド又はパフを形成し得る。物品は、このとき、洗濯可能であり得る。代替的に、アプリケータは、把持部に取り付けられる。化粧用組成物は、液体又は粉末、好ましくは液体であり得る。
【００２８】
主な定義
「テキスタイルベース材料」は、材料を作るのに好適な繊維又は糸で構成されているか、又は材料を作るのに好適な繊維又は糸に分割され得る材料である。
【００２９】
好ましくは、本発明によると、テキスタイルは、布地を形成する。
【００３０】
より優先的には、布地は、同じ平面において糸を編み合わせることの結果である織布により得られる。
【００３１】
テキスタイルベース材料は、
−  天然材料、特に羊毛、綿、絹又はリンネル、
−  人工材料、例えばビスコース、ポリエステル、ポリエーテル、ポリウレタン、ポリアミド、アクリル、エラステイン、
−  任意選択的に天然材料と混合されている、特に炭化水素又はデンプン由来の合成材料
で作られ得る。
【００３２】
特に、テキスタイルベース材料は、織布材料、不織布材料、綿、綿網織物、刺繍、レース、網織物、綿あや織物、ニット、フランネル、綿畝織り、クレトン、ジャージ、ポプリン、綿布地、リンネル布、絹、羊毛、カシミヤ、ポリエステル布地、ビスコース、アクリル、アセテート、帆布、チュール、フランネル、ラメ、波紋織り、繻子又は琥珀織りである。
【００３３】
「刺繍」は、糸模様をテキスタイルベース材料に加えることを含む。模様は、特に刺繍ステッチを形成するためにテキスタイルベース材料の横糸及び／又は縦糸間に刺繍糸を通すことにより、手又は機械により作られる。刺繍ステッチのセットが刺繍模様を形成する。
【００３４】
縦糸及び横糸を交差させる方法に依存して、「織物」と呼ばれる異なるタイプの布地がある。
【００３５】
「糸ステッチ」は、糸の一部により、通常、ベース材料において針で作られた２つのステッチを原則としてベース材料における２つのステッチ間で接続する。これは、例えば、裁縫ステッチ又は刺繍ステッチと呼ばれる。
【００３６】
好ましい実施形態
好ましくは、本発明によるデバイスは、以下の特徴の１つ又は複数を単独で又は組み合わせて有する。
−  糸ステッチは、ベース布地上で縫われ、ステッチされ、編まれ、且つ好ましくは刺繍される。ベース材料上のステッチ組立体は、強い。
−  浮き出し模様は、組成物（Ｃ）を塗布、収集又は分配するための総表面に対して、組成物（Ｃ）を塗布、収集又は分配するためのものの表面の１０％〜９５％、好ましくは３０％〜７０％、なおより優先的には４０％〜６０％に及ぶ。この塗布領域は、角質物質上、特に皮膚上での製品の良好な分布のために化粧品分野で最適である。
−  テキスタイルベース材料は、刺繍横糸を有する。布地の製造は、単純である。
−  テキスタイルベース材料は、横糸と縦糸とからなる。刺繍は、より良好に画定される。
−  テキスタイルベース材料は、帆布、あや織又は繻子の織りを有する。織りの選択に依存して、物品は、特定の用途のためにより好適となり得る。
−  テキスタイルベース材料は、ポリアミド、エラステイン、ポリエステル、アクリル、ポリウレタン、ポリオレフィン、ビスコース、アセテート、絹、羊毛、綿、リンネル、麻の糸からなる。これは、触れるのに心地よい。
−  刺繍ステッチは、フィルステッチ、特に直線のフラットパススルーステッチ又はエンクローチングステッチを含む。感覚は、指に対して様々である。
−  刺繍ステッチは、ループステッチを含む。このステッチは、葉又は花模様の製造に好適である。
−  刺繍ステッチは、チェーンステッチを含む。太い線ほど良好に画定される。
−  刺繍ステッチは、テキスタイル糸、特に綿又は絹糸で作られている。浮き出し模様は、強調される。
−  布地は、少なくとも１つの弾性のある糸で作られている。物品は、支持体上で伸ばされ得る。
−  少なくとも１つの方向における布地の伸長は、１０％〜２００％に含まれる。この伸長は、製品に対するアクセスを容易にする。
【００３７】
本発明の他の特徴及び利点は、以下の詳細な説明、本発明の実装形態の非限定的な例を読むこと及び添付図面の検討から明らかとなる。
【図面の簡単な説明】
【００３８】
【図１】第１布地で作られている、本発明によるケースの例の概略斜視図である。
【図２】本発明による物品の布地の第２例の塗布、収集又は分配表面の図である。
【図３】本発明による物品の布地の第３例の塗布、収集又は分配表面の図である。
【図４】図３の布地の概略的なＡＡ断面図である。
【図５】本発明によるアプリケータの概略正面図である。
【発明を実施するための形態】
【００３９】
説明の残りの部分において、同一の要素又は同一の機能を備えた要素に同じ参照記号が付されている。本説明の簡潔さのために、それらは、図の各々に隣接して記載されず、実施形態間の違いのみが説明される。
【００４０】
図１は、本体３を有するケース２を含む、本発明による化粧用物品１を示す。ケース２は、本例では本体３に蝶番で連結されたカバー５も有する。カバー５は、本体３にねじで取り付けられるなど、別の方法で取り付けられ得る。
【００４１】
ケース２は、本例ではカバー５と本体３との間のヒンジの回転軸に垂直な回転軸の周りで本体３に蝶番で連結されたアプリケータ保持器６も収納する。アプリケータは、この図に示されていない。カップ４がケース２の本体３の区画８に収納される。カップ４は、化粧用組成物のリザーバを収納する。
【００４２】
本発明によると、リザーバには、本例では刺繍ステッチ４０を備えた弾性的に変形可能な布地１５が載っており、テキスタイルベース材料３０上に構築された刺繍の浮き出し模様２０を形成している。布地１５は、組成物の塗布、収集又は分布のための表面１７を画定し、布地１５の表面を形成する。
【００４３】
この表面１７は、下にあるリザーバに含まれる化粧用組成物を塗布することを目的としている。テキスタイルベース材料３０は、組成物に対して透過性であり、それを構成しているメッシュを組成物が通過することを可能にする。
【００４４】
刺繍の浮き出し模様２０は、本例では布地１５全体にわたって広がる葉及び花の形状の幾何学的模様を形成する。これは、そうではない可能性もある。
【００４５】
図２は、布地１５の第２例を示す。これは、チュールで作られたベース材料３０上に構築された刺繍ステッチ４０を含む。模様２０は、かがり縫いステッチ２５で取り巻かれ、次いでブルドン又は花綱ステッチ２８で再び刺繍され、それらは、ベース材料３０上に組み立てられていない「車輪」２６又は「スパイダー」２７により一緒に接続される。
【００４６】
かがり縫いステッチの高さｈ１は、有利には、ベース布地を含む正中面に垂直に測定されて０．１ｍｍ〜２ｍｍに含まれる。
【００４７】
模様２０の高さｈ２は、有利には、ベース布地を含む正中面に垂直に測定されて０．１ｍｍ〜５ｍｍに含まれる。
【００４８】
図３は、布地１５の第３例を示す。これは、花模様２０を形成する、帆布ベース材料３０上に構築された刺繍ステッチ４０を含む。花弁４９は、パススルーステッチ４８である。花綱ステッチ４１は、花弁４９の縁４５を形成する。花の芯４６及び雄しべ４７は、ブルドンステッチ４３及び５３で刺繍されている。
【００４９】
図４は、本発明による布地が、その表面において、
−  ベース布地３０及びパススルーステッチにより形成され、花綱ステッチ４１により境界を定められた第１ゾーン２１、
−  ベース布地３０のみにより形成された第２ゾーン２２、
−  ベース布地３０及びブルドンステッチ４３により形成された第３ゾーン２３、
−  ベース布地３０のみにより形成された第４ゾーン２４、
−  ベース布地３０及びパススルーステッチにより形成され、花綱ステッチ４１により境界を定められた第５ゾーン２５、
−  ベース布地３０のみにより形成された第６ゾーン２７、
−  ベース布地３０のみにより形成された第７ゾーン２８
を含むことを示す。
【００５０】
化粧用組成物は、例えば、図１で説明された場合において布地の裏面に接触され得る。
【００５１】
静止時、布地１５は、スクリーンとして機能し、化粧用組成物が出ることを防ぐ。加えて、刺繍間に位置するゾーン２２、２４は、数回の使用後、毛細管効果と組み合わされたテキスタイルの構造を原因として化粧用組成物Ｃの集積の区画を形成する。
【００５２】
他方では、刺繍模様２０は、刺繍ステッチに依存して組成物の通路を完全に又は部分的に塞ぎ得る。ゾーン２１、２３及び２５は、したがって、化粧用組成物の通路を完全に又は部分的に塞ぐ。
【００５３】
使用中、ユーザは、表面１７に圧力をかけ、２つの同時に起こる現象が生じる。一方では、ベース布地３０の伸ばされたメッシュが開き、上向きの矢印で示されたとおり、組成物Ｃのための通路を解放する。他方では、布地は、伸ばされ、区画２２及び２４の静止時に画定された容積を減少させ、これらの区画２２及び２４に含まれる組成物を表面上に放出する。組成物は、区画２２及び２４によってのみ放出され、周辺ゾーン２７及び２８によっても放出される。
【００５４】
図５の例において、花綱ポイント２８を含む布地１５は、見えない下にある構造に接合により取り付けられて、組成物が含浸されていない化粧用組成物アプリケータを形成する。このアプリケータは、柄２９を含む。これは、組成物を載せた表面又は製品ケーキから組成物を収集し、且つ手に保持されている間にそれを塗布するために使用されるか、又は代替的に他の方法で施された組成物の輪郭をぼやけさせるために使用される。
【００５５】
本発明によると、用いることができる組成物は、ファンデーションである。
【００５６】
本発明によるファンデーションは、ジェル、クリーム、ミルク又はローションの中から好ましくは選択される。好ましくは、ファンデーションは、水性分散液、油性組成物又は多相組成物、例えば水中油型エマルジョン、油中水型エマルジョン、二相又は三相組成物のようなエマルジョンであり得る。本発明による好適なファンデーションは、当業者に既知であり、ファンデーション中に一般に存在する１つ又は複数の化合物を含み得る。特に、本発明によるファンデーションは、溶媒、特に皮膚又は他の角質組織と接触すると蒸発する揮発性溶媒、ワックス及び／又は樹脂、顔料、フィルム形成ポリマー、充填剤、有効成分、例えば保湿剤、ビタミン、ＵＶフィルタを含み得る。
【００５７】
高粘度組成物、例えば粘度が高いクリームについて、２５℃及び大気圧下で測定された粘度は、２００ｓ−１のせん断速度で４．５Ｐａ．ｓ以上及び５０Ｐａ．ｓ以下である（Ｎｏ．４スピンドルを備えたＢｒｏｏｋｆｉｅｌｄ  Ｒｈｅｏｍａｔ  ＲＭ  １８０粘度計を使用、測定は、回転速度及び粘度を安定させるためにスピンドルの回転の１０分後に実施される）。
【００５８】
本発明は、図示された例に限定されず、特に、図示された例の特徴は、互いに組み合わされ得る。
【符号の説明】
【００５９】
１  化粧用物品
１５  布地
１７  表面
２０  浮き出し模様
３０  テキスタイルベース材料
４０  刺繍ステッチ（糸ステッチ）
Ｃ  化粧用組成物
【図１】
2021529021.tif 000003
【図２】
2021529021.tif 000004
【図３】
2021529021.tif 000005
【図４】
2021529021.tif 000006
【図５】
2021529021.tif 000007
【国際調査報告】
2021529021.tif 000008
2021529021.tif 000009
2021529021.tif 000010
2021529021.tif 000011